(57)【要約】【課題】  鉄物や非鉄物が混在している工場等の床清掃土から鉄物や非鉄物を自動的に分別を可能とした工場等の床清掃土分別機を提供する。【解決手段】  ホッパ４に投入した鉄物や非鉄物が混入されている床清掃土を粒子の大きさに分別するための傾斜した篩５と、土類を受ける傾斜したダストパン６と、篩５及びダストパン６に前後揺動を付与するための揺動シリンダ７並びに上下振動を付与するための加振機８と、篩５で分別した鉄物と非鉄物とを振り分けるためのマグネットを備え傾斜したベルトコンベア１０と、ベルトコンベア１０で振り分けられた鉄物と非鉄物の流路を備えたシュート１１とからなり、このシュート１１から落下する鉄物、非鉄物及びダストパン６から落下する土をそれぞれの集積容器１２に収容するようにした。【選択図】        図１
2005118685.tif 000002
【特許請求の範囲】
【請求項１】
ホッパに投入した金属類の鉄物や紙、樹脂素材等の非鉄物が混入されている床清掃土を粒子の大きさに分別するための傾斜した篩と、この篩の下段に配置された土類を受ける傾斜したダストパンと、前記篩及びダストパンに前後揺動を付与するための揺動シリンダ並びに上下振動を付与するための加振機と、前記篩で分別した鉄物と非鉄物とを振り分けるためのマグネットを備え傾斜したベルトコンベアと、前記ベルトコンベアで振り分けられた鉄物と非鉄物の流路を備えたシュートとからなり、このシュートで振り分けられて落下する鉄物、非鉄物及び前記ダストパンから落下する土をそれぞれの集積容器に収容するようにしたことを特徴とする工場等の床清掃土分別機。
【請求項２】
篩は上段に簀の子状部材と下段に格子網状部材とによって２段構成されていることを特徴とする請求項１に記載の床工場等の床清掃土分別機。
【発明の詳細な説明】
【技術分野】
【０００１】
本発明は、工場等の床清掃土分別機に関するものである。
【背景技術】
【０００２】
工場等の床清掃土には、ビス、ボルト、溶接の電極チップ・スパッタ等の金属類の鉄物や紙、樹脂素材等の非鉄物まで、様々のものが混ざり合っているため再資源化は難しく、埋め立て処分されていた。
【０００３】
廃棄物処理装置として特開２００２−５９０８４が提供されているが、この装置では上記のような工場等の床清掃土から鉄物や非鉄物を分別することはできない。従って、床清掃土を分別するには従来では手作業で篩に掛け、網の上に残った大粒の清掃土は、目視で鉄物や非鉄物物を分別するように決められているが、管理が行き届かず、様々なものが混ざり合い排出されるため、再資源化は難しく、埋め立て処分されているのが現状である。
【特許文献１】特開２００２−５９０８４公報
【発明の開示】
【発明が解決しようとする課題】
【０００４】
本発明の目的は、鉄物や非鉄物が混在している工場等の床清掃土から鉄物や非鉄物を自動的に分別を可能とした工場等の床清掃土分別機を提供することである。
【課題を解決するための手段】
【０００５】
上記の目的を達成するための本発明は、請求項１に記載の通り、ホッパに投入した金属類の鉄物や紙、樹脂素材等の非鉄物が混入されている床清掃土を粒子の大きさに分別するための傾斜した篩と、この篩の下段に配置された土類を受ける傾斜したダストパンと、前記篩及びダストパンに前後揺動を付与するための揺動シリンダ並びに上下振動を付与するための加振機と、前記篩で分別した鉄物と非鉄物とを振り分けるためのマグネットを備え傾斜したベルトコンベアと、前記ベルトコンベアで振り分けられた鉄物と非鉄物の流路を備えたシュートとからなり、このシュートで振り分けられて落下する鉄物、非鉄物及び前記ダストパンから落下する土をそれぞれの集積容器に収容するようにしたことを特徴とするものである。
【０００６】
請求項２に記載の通り、上記の篩は上段に簀の子状部材と下段に格子網状部材とによって構成されていることを特徴とするものである。
【発明の効果】
【０００７】
本発明によると、金属類の鉄物や紙、樹脂素材等の非鉄物が混入されている工場等の床清掃土をリサイクルできるよう簡単な構造で自動的に精度良く分別し、再資源化を容易にして環境の保護に寄与する効果を有しているものである。
【発明を実施するための最良の形態】
【０００８】
以下本発明を実施するための最良の形態について図面に基づいて説明する。図１において、１はベースフレームである。このベースフレーム１上には防振ゴム３をかいして本体フレーム２が固定されている。
【０００９】
前記本体フレーム２には、その上方からホッパ４、傾斜角度を有する篩５及びダストパン６が順に配置されている。前記篩５は１段でも良いが必要に応じて複数段で設けられる。そして、前記ダストパン６は最下段に配置する。
【００１０】
前記篩５は図２で示す格子網状部材５ａの上に簀の子状部材５ｂを重ねた２段で構成されており、簀の子状部材５ｂ及びダストパン６の後端には揺動シリンダ７が結合されており、この揺動シリンダ７によって篩５及びダストパン６に前後揺動を付与するようにしている。
【００１１】
さらに、本体フレーム２の下端にはこの加振機８が固設されており、この加振機８によって本体フレーム２を上下方向に振動し篩５及びダストパン６に上下振動を付与するようにしている。つまり、篩５及びダストパン６は前後揺動し、かつ上下振動作動する。
【００１２】
前記篩５の先端部にはベルトコンベア１０が本体フレーム２にブラケット９を介して傾斜角度を持たせて取り付けられている。このベルトコンベア１０は図４で示すように、エンドレス周回するベルトの下面に棒状のマグネット１４が仕込であり、鉄物と非鉄物を分別するようにしている。このベルトコンベア１０は前記篩５に対しベルトが左右方向にエンドレス周回するよう配置されている。
【００１３】
前記ベルトコンベア１０の下方にはシュート１１が配置されている。このシュート１１は図４で示すように、ベルトコンベア１０で分別された鉄物と非鉄物を仕切り板１５振り分けて流すように非鉄物流路１１ａと鉄物流路１１ｂの構造としている。
【００１４】
さらに、前記シュート１１とダストパン６の下方には分別された鉄物、非鉄物及び土類をそれぞれ収容する集積容器１２が置かれている。この集積容器１２は床上に直接置いてもよいが、搬出入作業を容易にするために台車１３上に配置することが望ましい。
【００１５】
本発明は上記の通りの構造であるから、ホッパ４に投入された金属類の鉄物や紙、樹脂素材等の非鉄物が混入されている工場等の床清掃土が揺動シリンダ７による前後揺動し、かつ加振機８により上下振動している篩５に落下して粒子の大きさに分別する。この際にビス・ボルト類が引っかからないよう上段の簀の子状部材５ｂで姿勢を整えて篩いに掛けられる。そして、格子網状部材５ａの上に残った大粒の鉄物や非鉄物は加振機８による篩５の上下振動と篩５の傾斜によって先端に運ばれてベルトコンベア１０上に落下すし、土類は格子網状部材５ａを通してダストパン６に落下して集積容器１２に収容される。
【００１６】
前記篩５からベルトコンベア１０上に落下した非鉄物はマグネット１４の磁力吸着作用を受けず、シュート１１の非鉄物流路１１ａに滑り落ちて集積容器１２に収容される。一方、鉄物はマグネット１４に磁力吸着してベルトに張り付きベルトの周回方向に搬送されベルトコンベア１０の端のマグネット１４に磁力吸着が作用しない部位でベルトへの張り付きが解除されシュート１１の鉄物流路１１ｂに滑り落ちて集積容器１２に収容される。
【００１７】
このように本発明は、金属類の鉄物や紙、樹脂素材等の非鉄物が混入されている工場等の床清掃土をリサイクルできるよう簡単な構造で自動的に精度良く分別し、再資源化を容易にして環境の保護に寄与することができる。
【図面の簡単な説明】
【００１８】
【図１】本発明の側面図
【図２】篩の構成部材を示す斜視図
【図３】篩の簀の子状部材を前後揺動させる構造を示す斜視図
【図４】ベルトコンベアの斜視図
【符号の説明】
【００１９】
１    ベースフレーム
２    本体フレーム
３    防振ゴム
４    ホッパ
５    篩
５ａ  格子網状部材
５ｂ  簀の子状部材
６    ダストパン
７    揺動シリンダ
８    加振機
９    ブラケット
１０    ベルトコンベア
１１    シュート
１１ａ  非鉄物流路
１１ｂ  鉄物流路
１２    集積容器
１３    台車
１４    マグネット
１５    仕切り板
【図１】
2005118685.tif 000003
【図２】
2005118685.tif 000004
【図３】
2005118685.tif 000005
【図４】
2005118685.tif 000006